(57)【特許請求の範囲】
【請求項１】
容器本体に設けられたヘッドの押し下げにより内容物が噴射されるエアゾール容器と、当該エアゾール容器に着脱可能に保持されるオーバーキャップと、オーバーキャップが取り外された状態のエアゾール容器が装填される装填凹部を有する本体と、当該本体に合わさって内側にエアゾール容器の収納空間を形成する蓋体とを備え、当該蓋体に配置された押圧ボタンによってエアゾール容器のヘッドを押し下げることでヘッドからの内容物が蓋体を通して外界に噴射される、エアゾール容器を備える固定噴射用ケースであって、
蓋体の外表面に、オーバーキャップが押圧ボタンのカバーとなるように、当該オーバーキャップが着脱可能に嵌合する第１の嵌合部と、当該第１の嵌合部と異なる、第２の嵌合部とを設けたことを特徴とする、エアゾール容器を備える固定噴射用ケース。
【請求項２】
請求項１において、第１の嵌合部を、オーバーキャップの端部に対して着脱可能に嵌合する、突条又は条溝とすると共に、第２の嵌合部を、オーバーキャップの端部に対して着脱可能に嵌合する、突条、条溝又は窪みとしたことを特徴とする、エアゾール容器を備える固定噴射用ケース。
【発明の詳細な説明】
【技術分野】
【０００１】
本発明は、エアゾール容器をケースに固定して使用できるようにすることで、エアゾール容器を手に取って使用だけでなく、エアゾール容器を据え置いた状態でも使用することもできるようにするための技術に関するものである。
【背景技術】
【０００２】
エアゾール容器としては、例えば、容器本体の上側に設けられたヘッドの押し下げによって、このヘッドに形成された開口部を通して、芳香剤を噴射させるものがある（例えば、特許文献１参照）。
【先行技術文献】
【特許文献】
【０００３】
【特許文献１】実開平４−８６７８９号公報
【発明の概要】
【発明が解決しようとする課題】
【０００４】
上述のエアゾール容器は、使用者が直接手にとって使用することで、使用者が意識する場所に直接内容物を噴射させることできる。このため、こうしたエアゾール容器によれば、その使用に際し、使用者の意思を直接反映させることができる。
【０００５】
しかしながら、反対に、内容物を外界に噴射させることが主目的であり、内容物を噴射させる場所を、適宜意識する必要が無い場合にまで、使用者がエアゾール容器を直接手にとって使用することは使い勝手が悪く、改善の余地がある。
【０００６】
そこで、本願発明者は、エアゾール容器を本体に装填すると共に、この本体を閉じる蓋体に押圧ボタンを配置し、これを操作することで、机等の固定物に据え置いた状態でも、内容物を噴射させることができる技術を着想するに至った。
【０００７】
ところが、蓋体に押圧ボタンを配置した場合、ケースが比較的低い位置に据え置かれるため、誤ってボタンが押し込まれると、使用者が予期しないからの内容物の噴射が考えられる。このため、本願発明者は、誤ったボタン操作によって、内容物が噴射されることを防止する必要があることを認識するに至った。
【０００８】
本発明の目的とするところは、エアゾール容器として自由に使用することも、エアゾール容器として固定して使用することもできると共に、エアゾール容器をセットした状態での予期せぬ噴射を防止することができる、新規なエアゾール容器を備える固定噴射用ケースを提供することにある。
【課題を解決するための手段】
【０００９】
本発明である、エアゾール容器を備える固定噴射用ケースは、容器本体に設けられたヘッドの押し下げにより内容物が噴射されるエアゾール容器と、当該エアゾール容器に着脱可能に保持されるオーバーキャップと、オーバーキャップが取り外された状態のエアゾール容器が装填される装填凹部を有する本体と、当該本体に合わさって内側にエアゾール容器の収納空間を形成する蓋体とを備え、当該蓋体に配置された押圧ボタンによってエアゾール容器のヘッドを押し下げることでヘッドからの内容物が蓋体を通して外界に噴射されるエアゾール容器を備える固定噴射用ケースであって、蓋体の外表面に、オーバーキャップが押圧ボタンのカバーとなるように、当該オーバーキャップが着脱可能に嵌合する、第１の嵌合部と、当該第１の嵌合部と異なる、第２の嵌合部とを設けたことを特徴とするものである。
【００１０】
本発明では、第１の嵌合部を、オーバーキャップの端部に対して着脱可能に嵌合する、突条又は条溝とすると共に、第２の嵌合部を、オーバーキャップの端部に対して着脱可能に嵌合する、突条、条溝又は窪み（陥没部）とすることができる。
【発明の効果】
【００１１】
本発明では、エアゾール容器を、本体に設けた装填凹部に載せ置いて蓋体を閉じれば、噴射スイッチを操作するだけで、内容物を一定に固定された方向に噴射させることができる。また、エアゾール容器は、本体の装填凹部に装填されるため、蓋体を開けば、本体に対して自由に固定し、又は、取り外すことができる。
【００１２】
また、本発明では、蓋体の外表面に、エアゾール容器から取り外したオーバーキャップが、押圧ボタンのカバーとなるように、当該オーバーキャップが着脱可能に嵌合する、第１の嵌合部を設けたことから、オーバーキャップを蓋体に嵌合させれば、押圧スイッチを誤って操作することがない。このため、エアゾール容器をセットした状態での予期せぬ噴射を防止することができる。
【００１３】
従って、本発明によれば、１つのエアゾール容器を、ケースからエアゾール容器として取り出して自由に噴射することも、エアゾール容器をケースに固定した状態で噴射することもでき、併せて、エアゾール容器をセットした状態での予期せぬ噴射を防止することができる。加えて、本発明によれば、蓋体の外表面に、第２の嵌合部を設けたことから、この第２の嵌合部にオーバーキャップを嵌合させれば、オーバーキャップを紛失させることなく、噴射スイッチを操作可能な状態にすることができる。
【図面の簡単な説明】
【００１４】
【図１】本発明である、エアゾール容器を備える固定噴射用ケースの第１の形態を示す分解斜視図である。
【図２】(a)〜(c)はそれぞれ、同形態に係るエアゾール容器の正面図、同エアゾール容器を装填した状態を一部仮想線で示す本体の平面図及び、同本体を蓋体で閉じた状態を示す平面図である。
【図３】同形態を操作して内容物を噴射する前の状態を側面から示す一部断面図である。
【図４】同形態を操作して内容物を噴射した状態を側面から示す一部断面図である。
【図５】(a)〜(c)はそれぞれ、本発明である、エアゾール容器を備える固定噴射用ケースの第２の形態に係るエアゾール容器の正面図、同エアゾール容器を装填した状態を一部仮想線で示す本体の平面図及び、同本体を蓋体で閉じた状態を示す平面図である。
【図６】同形態を操作して内容物を噴射する前の状態を側面から示す一部断面図である。
【図７】同形態を操作して内容物を噴射した状態を側面から示す一部断面図である。
【発明を実施するための形態】
【００１５】
以下、図面を参照して、本発明である、エアゾール容器を備える固定噴射用ケースを詳細に説明する。
【００１６】
図１〜４は、本発明である、エアゾール容器を備える固定噴射用ケースの第１の形態である。図において、符号１は、エアゾール容器である。エアゾール容器１は、容器本体２の内側に形成された空間に圧縮ガスと共に、内容物たる、液体の芳香剤等の内容物が充填されている。容器本体２の上側には、図示せぬステムを介してヘッド３が取り付けられている。ヘッド３には、ノズル４が一体に設けられている。ノズル４は、図２(a)等に示すように、上向きに傾斜している。また、ノズル４には、ステムを介して容器本体２内に通じる開口部（以下、「噴射孔」）４ａが形成されている。これにより、ヘッド３を押し下げると、ノズル４の噴射孔４ａを通して内容物が霧状に噴射される。
【００１７】
符号６は、エアゾール容器１に着脱可能に保持されるオーバーキャップである。オーバーキャップ６は、ヘッド３を取り囲むように形成された周壁６ａと、この周壁６ａの上端を閉じる天壁６ｂとからなり、周壁６ａの下端６ｅがエアゾール容器１に被せたときにヘッド３が導入される開口部を形作る。周壁６ａは、その下端６ｅ側の内周面が容器本体２に繋がるマウントカップ巻締め部１ｒに着脱可能に嵌合する。これにより、エアゾール容器１は、単独での携帯時においても、ヘッド３が誤操作されることがない。従って、エアゾール容器１を単独で携帯しても、使用者が予期せぬ状態から内容物が噴射されることがない。
【００１８】
符号１０は、エアゾール容器１が装填される装填凹部Ｃを有する本体である。装填凹部Ｃは、図２(b)等に示すように、容器本体２の底部２ａとの接触により当該底部２ａを支持する底壁１１ａと、胴部２ｂとの接触により当該胴部２ｂを支持する底壁１１ａ，１１ｂを有する。底壁１１ａ，１１ｂは、図３等に示すように、互いに本体１０の底部に向かって傾斜することで、断面Ｖ字形を形成する２つの傾斜壁としてなる。底壁１１ａは、容器本体２の底部２ａと全面に亘って斜めに接触することで、エアゾール容器１を底部２ａ側から支持している。また、底壁１１ｂは、胴部２ｂと斜めに接触することで、エアゾール容器１を胴部２ｂ側から支持している。これにより、底壁１１ａ，１１ｂは、図３等に示すように、エアゾール容器１を、その自重によって比較的安定した状態に位置決めする。
【００１９】
また、装填凹部Ｃは、底壁１１ａ，１１ｂと一体に繋がる２つの側壁１２ａ，１２ｂを有する。側壁１２ａ，１２ｂはそれぞれ、図２(b)等に示すように、容器本体の胴部２ｂの側面と接触することで、胴部２ｂを嵌合保持している。これにより、側壁１２ａ，１２ｂは、図２(b)に示すように、エアゾール容器１を胴部幅方向に位置決めする。
【００２０】
符号２０は、本体１０に合わさって内側にエアゾール容器の収納空間Ｒ1を形成する蓋体である。蓋体２０は、本体１０と共に、エアゾール容器１を収納すると共に内容物の噴射を可能にする固定噴射用ケースを構成する。また、蓋体２０は、平坦な天壁２１を有し、この天壁２１には、噴射スイッチ３０が設けられている。
【００２１】
噴射スイッチ３０は、図２(c)に示すように、天壁２１に形成されたＵ字形のスリットＳにより形作られた片持ち支持片（舌片）である。噴射スイッチ３０は、図３等に示すように、その自由端３１側に、蓋体２０の外側に膨出する押圧ボタン３２が一体に設けられている。また、噴射スイッチ３０の固定端３３側には、図３に示すように、その裏面に、ヘッド３に接触可能な突起３４が一体に設けられている。これにより、図３に示す押圧ボタン３２を図４に示すように収納空間Ｒ1内に押し込むと、図４に示すように、固定端３３側に弾性変形が生じることにより、突起３４がヘッド３を容器本体２側に押し込むことができる。
【００２２】
更に、噴射スイッチ３０には、ノズル４の噴射孔４ａが外界に解放されるように貫通孔Ａ1が形成されている。これにより、押圧ボタン３２の押し下げによってヘッド３を押し下げられることで、噴射孔４ａからの内容物は、図４に示すように、貫通孔Ａ1を通して外界に噴射される。そして、噴射スイッチ３０は、押圧ボタン３２の押し下げを解除すると、固定端３３側で生じる復元力によって、又は、ヘッド３の復帰によって、図３に示す位置に復帰する。
【００２３】
このように、本形態では、エアゾール容器１が凹部Ｃに対して底部２ａ及び胴部２ｂを支持された状態で斜めに載せ置かれるため、当該エアゾール容器１を凹部Ｃの底壁１１ａ，１１ｂに載せ置くだけの簡単な操作で、エアゾール容器１を比較的安定した状態に位置決めすることができる。また、本形態では、装填凹部Ｃの底壁１１ａが、エアゾール容器１の底部２ａを支持しているため、エアゾール容器１を単体で用いた場合と同様に、ヘッド３を押し下げるだけで内容物を噴射させることができる。このため、エアゾール容器１を、装填凹部Ｃの底壁１１ａ，１１ｂに載せ置いて蓋体２０を閉じれば、噴射スイッチ３０を操作するだけで、内容物を一定に固定された方向に噴射させることができる。また、エアゾール容器１は、装填凹部Ｃに載せ置かれるため、蓋体２０を開けば、本体１０に対して自由に固定し、又は、取り外すことができる。
【００２４】
加えて、天壁２１の外表面には、図１等に示すように、エアゾール容器１から取り外したオーバーキャップ６が押圧ボタン３２のカバーとなるように、当該オーバーキャップ６を嵌合保持するための第１の嵌合部２２が一体に設けられている。第１の嵌合部２２は、図２(c)の二点鎖線で示すように、噴射スイッチ３０を挟んだ両側の位置に設けられている。第１の嵌合部２２はそれぞれ、その外周面が周壁６ａの内周面と着脱可能に嵌合する突条としてなる。これにより、オーバーキャップ６を蓋体２０の第１の嵌合部２２に嵌合させれば、図３に示すように、押圧スイッチ３２は、オーバーキャップ６内に形成された空間Ｒ2に収納されることで、押圧スイッチ３２を誤って操作することがない。このため、オーバーキャップ６を第１の嵌合部２２に嵌合させれば、エアゾール容器１をセットした状態での予期せぬ噴射を防止することができる。
【００２５】
従って、本形態によれば、１つのエアゾール容器１を、ケースからエアゾール容器１として取り出して自由に噴射することも、エアゾール容器１をケースに固定して机や床に据え置いた状態で噴射することもでき、併せて、エアゾール容器１をセットした状態での予期せぬ噴射を防止することができる。
【００２６】
なお、第１の嵌合部２２は、その変形例として、その内周面が周壁６ａの外周面と着脱可能に嵌合するものとすることもできる。また、第１の嵌合部２２が本形態の如く、突条となる場合には、噴射スイッチ３０を挟んで両側に配置されていれば、各突条２２をそれぞれ、更に複数に分割して断続的に設けることができる。また、突条は、噴射スイッチ３０を挟んで両側に配置された条溝に置き換えることもできる。更に、第１の嵌合部２２を突条又は条溝とした場合は、噴射スイッチ３０を取り囲むように設けられた環状のものとすることもできる。第１の嵌合部２２としては、突条又は条溝を採用すれば、オーバーキャップ６の着脱を簡素な構成で実現できるが、これに限定されるものではない。即ち、第１の嵌合部２２は、オーバーキャップ６を着脱可能に嵌合させることができる構成であれば、種々の構成を採用することができる。
【００２７】
ところで、エアゾール容器１を携帯する際に用いられるオーバーキャップ６は、エアゾール容器１をケースに収納したのち、その保管をしっかりしないと紛失してしまう可能性がある。このため、本願発明者は、エアゾール容器１を単独で使用する場合には、オーバーキャップ６の取り扱いも考慮しなければならないことも見出した。
【００２８】
そこで、本形態では、図１等に示すように、天壁２１の外表面に更に、オーバーキャップ６を嵌合保持するための第２の嵌合部２３が設けられている。第２の嵌合部２３は、図４等に示すように、その内周面が周壁６ａの外周面と着脱可能に嵌合する窪み（陥没部）としてなる。これにより、オーバーキャップ６を第２の嵌合部２３に嵌合させれば、オーバーキャップ６を紛失させることなく、噴射スイッチ３０を操作可能な状態にすることができる。
【００２９】
なお、符号１３は、底壁１１ｂから一体に起立する縦壁１１ｃから本体１０の幅方向（短手方向）に間隔を空けて一体に設けた突起である。突起１３の先端にはそれぞれ、ヘッド３の側面に設けた縦リブ５に接触する斜面１３ｆが形成されている。これにより、エアゾール容器１を装填するだけで、図２(b)等に示すように、ノズル４の向きを容易に位置決めすることができると共に、ヘッド３が容器本体２に対して回転することを防止できる。なお、突起１３の下方にはそれぞれ、貫通長孔Ａ2が形成されている。
【００３０】
また、本形態では、蓋体２０は、割り溝部２４を有し、この割り溝部２４を介して本体１０に設けられたシャフト１４に回転可能に軸支されている。これにより、エアゾール容器１の着脱は、蓋体２０を本体１０に対して回転させるだけの容易な操作で行うことができる。なお、蓋体２０は、本体１０に設けた係合突起１５と着脱可能に嵌合する係合凹部２５を更に有する。これにより、蓋体２０の予期せぬ開放を防止する。
【００３１】
また、蓋体２０を本体１０に対して軸支する手段は、これに限定されるものではなく、蓋体２０を本体１０に対して回転させることができる構成であれば、様々な構成のものを採用することができる。
【００３２】
また、本発明に従えば、蓋体２０は、本体１０に対して回転させることなく、例えば、本形態のように、装填凹部Ｃの開口部を形作る上端縁１６ａ〜１６ｃに形成した２つの案内壁１７を用いることで、蓋体２０を案内壁１７によって着脱可能に嵌合させる構成とすることも可能である。
【００３３】
図５〜７は、本発明である、エアゾール容器を備える固定噴射用ケースの第２の形態である。以下、第１の形態と同一部分は、同一符号をもって、その説明を省略する。
【００３４】
本形態では、噴射スイッチ４０は、本体１０に回転可能に保持される軸部４１を有する回転部材である。噴射スイッチ４０は、軸部４１の後方（ノズル４よりも遠い位置）に、蓋体２０（天壁２１）に形成された開口部Ａ3から蓋体２０の外側に膨出する押圧ボタン４２が一体に設けられている。また、軸部４１の前方（ノズル４に近い位置）側には、ヘッド３に接触可能な突起４３が一体に設けられている。これにより、図６に示す押圧ボタン４２を図７に示すように収納空間Ｒ1内に押し込むと、図７に示すように、軸部４１周りの回転を生じさせることにより、突起４３がヘッド３を容器本体２側に押し込むことができる。そして、噴射スイッチ４０は、押圧ボタン４２の押し下げを解除すると、ヘッド３の復帰によって、図６に示す位置に復帰する。
【００３５】
本形態も、第１の形態と同様、エアゾール容器１を、装填凹部Ｃの底壁１１ａ，１１ｂに載せ置いて蓋体２０を閉じれば、噴射スイッチ４０を操作するだけで、内容物を一定に固定された方向に噴射させることができる。また、エアゾール容器１は、装填凹部Ｃに装填されるため、蓋体２０を開けば、本体１０に対して自由に固定し、又は、取り外すことができる。
【００３６】
加えて、天壁２１の外表面にも、第１の形態と同様、図５等に示すように、エアゾール容器１から取り外したオーバーキャップ６が押圧ボタン４２のカバーとなるように、当該オーバーキャップ６を嵌合保持するための第１の嵌合部２２が一体に設けられている。これにより、オーバーキャップ６を第１の嵌合部２２に嵌合させれば、図６に示すように、押圧スイッチ４２は、オーバーキャップ６内に形成された空間Ｒ2に収納されることで、押圧スイッチ４２を誤って操作することがない。このため、第１の形態と同様、エアゾール容器１をセットした状態での予期せぬ噴射を防止することができる。
【００３７】
従って、本形態によっても、１つのエアゾール容器１を、ケースからエアゾール容器１として取り出して自由に噴射することも、エアゾール容器１をケースに固定した状態で噴射することもでき、併せて、エアゾール容器１をセットした状態での予期せぬ噴射を防止することができる。
【００３８】
また、本形態でも、図５等に示すように、天壁２１の外表面に更に、オーバーキャップ６を嵌合保持するための第２の嵌合部２３が設けられている。第２の嵌合部２３も、第１の形態と同様、図７等に示すように、その内周面が周壁６ａの外周面と着脱可能に嵌合する。これにより、第１の形態と同様、オーバーキャップ６を第２の嵌合部２３に嵌合させれば、オーバーキャップ６を紛失させることなく、噴射スイッチ３０を操作可能な状態にすることができる。
【００３９】
なお、本形態では、噴射スイッチ４０の軸部４１は、図５(b)等に示すように、本体１０の案内壁１７それぞれに形成した凹部１８によって、回転可能に軸支されている。但し、本発明に従えば、軸部４１を蓋体２０側で軸支することも可能である。
【００４０】
上述したところは、本発明の一形態を示したにすぎず、本発明に従えば、種々の変更を加えることができる。例えば、第２の嵌合部２３は、第１の嵌合部２２と同様の構成を取ることができる。第２の嵌合部２３としては、突条、条溝又は窪み（陥没部）を採用すれば、第１の嵌合部２２と同様、オーバーキャップ６の着脱を簡素な構成で実現できるが、これに限定されるものではない。即ち、第２の嵌合部２３も、オーバーキャップ６を着脱可能に嵌合させることができる構成であれば、種々の構成を採用することができる。さらに、上述した形態の各構成要素は、適宜、組み合わせて用いることができる。
【産業上の利用可能性】
【００４１】
本発明は、容器本体に設けられたヘッドの押し下げにより内容物が噴射されるエアゾール容器であれば、芳香剤等の、様々な内容物を充填したエアゾール容器を採用することができる。
【符号の説明】
【００４２】
１      エアゾール容器
１ｒ    マウントカップ巻締め部
２      容器本体
２ａ    容器底部
２ｂ    容器胴部
３      ヘッド
４      ノズル
４ａ    ノズル開口部（噴射孔）
５      縦リブ（ノズル位置決め用）
６      オーバーキャップ
６ａ    周壁
６ｂ    天壁
６ｅ    オーバーキャップ下端
１０    本体
１１ａ  （装填凹部）底壁（容器底部側）
１１ｂ  （装填凹部）底壁（容器胴部側）
１２ａ  （装填凹部）側壁
１２ｂ  （装填凹部）側壁
１３    突起（ノズル位置決め用）
１３ｆ  突起斜面
１４    （蓋体回転用）シャフト
１５    （蓋体誤開放防止用）係合突起
１６    本体上端縁
１７    案内壁
１８    （噴射スイッチ軸部保持用）凹部
２０    蓋体
２１    天壁
２２    第１の嵌合部（突条）
２３    第２の嵌合部（窪み）
２４    （蓋体回転用）割り溝部
２５    （蓋体誤開放防止用）係合凹部
３０    噴射スイッチ（第１の形態）
３１    自由端
３２    押圧ボタン
３３    固定端
３４    （ヘッド押し下げ用）突起
４０    噴射スイッチ（第２の形態）
４２    押圧ボタン
４３    固定端
【図１】
0005485097.tif 000002
【図２】
0005485097.tif 000003
【図３】
0005485097.tif 000004
【図４】
0005485097.tif 000005
【図５】
0005485097.tif 000006
【図６】
0005485097.tif 000007
【図７】
0005485097.tif 000008